(57)【要約】【課題】針状の放電電極の損傷を防止して簡単に清掃を行うことのできる電極用清掃用具を提供する。【解決手段】針状の放電電極２２の先端に付着した異物を除去する電極用清掃用具１であって、下端に開口部４ａを有する筒状の外装部２と、外装部２内に配されて軸方向に可動の清掃体保持部５と、清掃体保持部５の下端に配される清掃体６と、清掃体保持部５を外装部２内で進退させる進退手段２、７、８とを備え、進退手段２、７、８の操作によって清掃体６が外装部２の内部に収納される収納状態と開口部４ａから突出する清掃状態との間を移動し、収納状態で清掃体６が開口部４ａの内周壁に嵌合するようにした。【選択図】図１
2012000558.tif 000002
【特許請求の範囲】
【請求項１】
針状の放電電極の先端に付着した異物を除去する電極用清掃用具であって、下端に開口部を有する筒状の外装部と、前記外装部内に配されて軸方向に可動の清掃体保持部と、前記清掃体保持部の下端に配される清掃体と、前記清掃体保持部を前記外装部内で進退させる進退手段とを備え、前記進退手段の操作によって前記清掃体が前記外装部の内部に収納される収納状態と前記開口部から突出する清掃状態との間を移動し、前記収納状態で前記清掃体が前記開口部の内周壁に嵌合することを特徴とする電極用清掃用具。
【請求項２】
前記進退手段は、前記外装部の上端から突出するとともに上方に付勢される押圧部材を有し、前記押圧部材の押圧によって前記清掃体保持部が進退することを特徴とする請求項１に記載の電極用清掃用具。
【請求項３】
前記外装部の下端を内側に屈曲して前記開口部が形成されることを特徴とする請求項１または請求項２に記載の電極用清掃用具。
【請求項４】
前記進退手段によって前記清掃体が前記開口部から突出する際に、前記清掃体保持部が回転することを特徴とする請求項１〜請求項３のいずれかに記載の電極用清掃用具。
【請求項５】
前記外装部は前記開口部の周縁から下方に突出する環状のリブを有することを特徴とする請求項１〜請求項４のいずれかに記載の電極用清掃用具。
【請求項６】
前記外装部の上部が気密に形成されるとともに前記収納状態で前記清掃体の先端が前記開口部の先端から所定量の空隙を介して上方に配され、前記清掃体が前記開口部から突出する際に前記空隙の空気が前記開口部から吐出されることを特徴とする請求項１〜請求項５のいずれかに記載の電極用清掃用具。
【請求項７】
前記開口部の周囲にパッキンを設けたことを特徴とする請求項６に記載の電極用清掃用具。
【発明の詳細な説明】
【技術分野】
【０００１】
本発明は、針状の放電電極を清掃する電極用清掃用具に関する。
【背景技術】
【０００２】
コロナ放電によって空気中にイオンを発生するイオン発生装置を搭載し、殺菌効果やリラクゼーション効果を得ることができる空気清浄機や、静電気を中和する除電器等の機器が知られている。
【０００３】
コロナ放電は針状の放電電極に高電圧を印加して行われ、空気中の水分子等を分解してイオンを発生する。この時、帯電した塵埃等の異物が放電電極の先端に吸着する場合がある。放電電極の先端に異物が堆積するとコロナ放電が発生しにくくなるため、定期的に放電電極の針先を清掃することが望ましい。
【０００４】
特許文献１には針状の放電電極を清掃する清掃体を備えたイオン発生装置が開示される。このイオン発生装置は可動のブラシ状の清掃体を備え、使用者の操作によって定期的に清掃体と放電電極とを摺動させる。これにより、放電電極の先端に付着した異物が除去され、コロナ放電を長期間安定して発生させることができる。
【先行技術文献】
【特許文献】
【０００５】
【特許文献１】特開２０１０−２７３９０号公報（第５頁−第１５頁、第３図）
【発明の概要】
【発明が解決しようとする課題】
【０００６】
しかしながら、上記従来のイオン発生装置によると、清掃体を収納するスペースが必要となるため、イオン発生装置を搭載した装置が大型になる問題があった。また、清掃体の劣化状態を把握することが困難になるとともに、劣化時の交換のために装置を分解する必要があるため利便性が悪い問題もあった。
【０００７】
一方で、作業者が把持した綿棒等の清掃用具を放電電極に接触させて手動で放電電極の異物を除去し、上記の問題を解消することができる。しかしながら、放電電極に垂直な方向に強い力で清掃用具を摺動させた場合に放電電極が損傷する問題があった。
【０００８】
本発明は、針状の放電電極の損傷を防止して簡単に清掃を行うことのできる電極用清掃用具を提供することを目的とする。
【課題を解決するための手段】
【０００９】
上記目的を達成するために本発明は、針状の放電電極の先端に付着した異物を除去する電極用清掃用具であって、下端に開口部を有する筒状の外装部と、前記外装部内に配されて軸方向に可動の清掃体保持部と、前記清掃体保持部の下端に配される清掃体と、前記清掃体保持部を前記外装部内で進退させる進退手段とを備え、前記進退手段の操作によって前記清掃体が前記外装部の内部に収納される収納状態と前記開口部から突出する清掃状態との間を移動し、前記収納状態で前記清掃体が前記開口部の内周壁に嵌合することを特徴としている。
【００１０】
この構成によると、針状の放電電極は一般にカバーにより覆われ、カバーには放電電極を臨む孔部が設けられる。収納状態の電極用清掃用具は開口部の周囲を該カバー上に設置される。進退手段を操作すると、清掃体が開口部から所定量だけ突出して清掃状態に配される。これにより、放電電極に孔部を介して清掃体が接触し、放電電極の先端の異物が除去される。清掃状態から進退手段を操作すると、清掃体が外装部内に収納される。この時、清掃体は開口部の内周壁に嵌合し、開口部の径に揃えられる。
【００１１】
また本発明は、上記構成の電極用清掃用具において、前記進退手段は、前記外装部の上端から突出するとともに上方に付勢される押圧部材を有し、前記押圧部材の押圧によって前記清掃体保持部が進退することを特徴としている。この構成によると、外装部を把持して押圧部材を手指で押圧すると清掃体保持部が進退する。
【００１２】
また本発明は、上記構成の電極用清掃用具において、前記外装部の下端を内側に屈曲して前記開口部が形成されることを特徴としている。
【００１３】
また本発明は、上記構成の電極用清掃用具において、前記進退手段によって前記清掃体が前記開口部から突出する際に、前記清掃体保持部が回転することを特徴としている。この構成によると、開口部から突出した清掃体が放電電極と略同軸に回転して放電電極に摺動する。
【００１４】
また本発明は、上記構成の電極用清掃用具において、前記外装部は前記開口部の周縁から下方に突出する環状のリブを有することを特徴としている。この構成によると、放電電極を覆うカバーに設けられる孔部内にリブを挿入し、リブの周囲がカバー上に設置される。これにより、清掃体は開口部から突出する際に孔部の周縁との接触が防止される。
【００１５】
また本発明は、上記構成の電極用清掃用具において、前記外装部の上部が気密に形成されるとともに前記収納状態で前記清掃体の先端が前記開口部の先端から所定量の空隙を介して上方に配され、前記清掃体が前記開口部から突出する際に前記空隙の空気が前記開口部から吐出されることを特徴としている。この構成によると、清掃体が突出する際に空隙の空気が開口部から吐出され、放電電極の先端の異物が吹き飛ばされる。
【００１６】
また本発明は、上記構成の電極用清掃用具において、前記開口部の周囲にパッキンを設けたことを特徴としている。この構成によると、開口部の周囲とカバーとの間からの空気漏れが防止される。
【発明の効果】
【００１７】
本発明によると、進退手段の操作によって清掃体が外装部の内部に収納される収納状態と開口部から突出する清掃状態との間を移動し、収納状態で清掃体が外装部の内壁に嵌合する。針状の放電電極が露出するカバー上に外装部の開口部の周囲を設置し、進退手段により清掃体を突出させることによって、放電電極と清掃体とが接触して異物を簡単に除去することができる。この時、清掃体が放電電極に垂直な方向に摺動することを防止し、放電電極の損傷を防止することができる。また、収納状態で清掃体が開口部に嵌合するため、清掃体の先端が外装部によって揃えられる。これにより、清掃体の変形を低減して長寿命化を図ることができる。
【図面の簡単な説明】
【００１８】
【図１】本発明の第１実施形態の電極用清掃用具及びイオン発生装置を示す側面断面図
【図２】イオン発生装置を示す上面図
【図３】本発明の第１実施形態の電極用清掃用具の外筒及び清掃体保持部を示す側面断面図
【図４】本発明の第１実施形態の電極用清掃用具の清掃状態を示す側面断面図
【図５】本発明の第１実施形態の電極用清掃用具の清掃状態のカム機構の展開図
【図６】本発明の第１実施形態の電極用清掃用具の清掃状態から収納状態に移行時のカム機構の展開図
【図７】本発明の第１実施形態の電極用清掃用具の清掃状態から収納状態に移行時のカム機構の展開図
【図８】本発明の第１実施形態の電極用清掃用具の収納状態のカム機構の展開図
【図９】本発明の第１実施形態の電極用清掃用具の下部の収納状態の詳細を示す側面断面図
【図１０】本発明の第１実施形態の電極用清掃用具の下部の清掃状態の詳細を示す側面断面図
【図１１】本発明の第２実施形態の電極用清掃用具の下部の収納状態の詳細を示す側面断面図
【図１２】本発明の第３実施形態の電極用清掃用具の下部の収納状態の詳細を示す側面断面図
【発明を実施するための形態】
【００１９】
以下に本発明の実施形態を図面を参照して説明する。図１は第１実施形態の電極用清掃用具及びイオン発生装置を示す側面断面図である。また、図２はイオン発生装置の上面図を示している。イオン発生装置２０は空気清浄機等に搭載され、着脱自在に設けられる。イオン発生装置２０はイオンを発生するイオン発生素子２１を備え、イオン発生素子２１の周囲が樹脂成形品のカバー２４により覆われる。
【００２０】
イオン発生素子２１は複数の針状の放電電極２２と、放電電極２２の周囲に環状に配される誘導電極２３とを有している。カバー２４には放電電極２２を露出する孔部２４ａが開口する。孔部２４ａは放電電極２２の先端から所定の距離Ｄだけ離れて配され、誘導電極２３よりも小さい径で開口する。これにより、放電電極２２及び誘導電極２３に対する手指等の接触が防止される。
【００２１】
放電電極２２と誘導電極２３との間には交流波形またはインパルス波形から成る電圧が印加され、針状の放電電極２２の先端にコロナ放電が発生する。一方の放電電極２２には正電圧が印加され、電離により発生するイオンが空気中の水分と結合して主としてＨ+（Ｈ2Ｏ）ｍから成る電荷が正のクラスタイオンが形成される。他方の放電電極２２には負電圧が印加され、電離により発生するイオンが空気中の水分と結合して主としてＯ2-（Ｈ2Ｏ）ｎから成る電荷が負のクラスタイオンが形成される。ここで、ｍ、ｎは任意の自然数である。
【００２２】
Ｈ+（Ｈ2Ｏ）ｍ及びＯ2-（Ｈ2Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ2Ｏ2（過酸化水素）を浮遊菌や臭い成分等の表面上で凝集生成してこれらを破壊する。ここで、ｍ’、ｎ’は任意の自然数である。
【００２３】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００２４】
従って、プラスイオン及びマイナスイオンを発生して室内の殺菌や臭い除去を行うことができる。また、放電電極２２からマイナスイオンのみを発生してリラクゼーション効果を得ることも可能である。
【００２５】
電極用清掃用具１は外装部２を形成する外筒３及びガード４を備えている。外筒３及びガード４は筒状に形成され、外筒３の下端にガード４が取り付けられる。ガード４の下端には内側に屈曲した屈曲部４ｃが形成され、外筒３の内径よりも小径の開口部４ａが開口する。
【００２６】
外筒３内には清掃体保持部５が内嵌される。清掃体保持部５の下端には清掃体６が設けられる。清掃体６はＰＰやナイロン等によってブラシ状や多孔のスポンジ状に形成され、同図に示す収納状態で開口部４ａの内周壁に嵌合して配される。放電電極２２の長さが一般に５〜１０ｍｍ程度であるため、清掃体６の軸方向の長さは放電電極２２よりも長い約１２ｍｍ以上に形成される。これにより、清掃体６を放電電極２２の根元まで接触させることができる。
【００２７】
清掃体保持部５の下部には下方が小径となる段差部５ｃが形成される。段差部５ｃと屈曲部４ｃとの間には圧縮バネ７が縮設される。圧縮バネ７によって清掃体保持部５が上方に付勢される。
【００２８】
図３は外筒３及び清掃体保持部５の側面断面図を示している。外筒３の上部には縮径された縮径部３ｃが設けられる。縮径部３ｃの下端面にはカム面３ａが形成される。カム面３ａは周方向に対して傾斜する斜面を一方に有した山部が所定ピッチで配される。また、カム面３ａの一つおきの山部から上方に延びる溝部３ｂが縮径部３ｃに凹設される。
【００２９】
清掃体保持部５の上部には縮径して外筒３の縮径部３ｃに嵌合する嵌合部５ｄが設けられる。嵌合部５ｄの上端面にはカム面５ａが形成されるとともに周面には上下に延びて溝部３ｂに嵌合する突起部５ｂが突設される。突起部５ｂの上端にはカム面３ａに噛み合う斜面が設けられ、カム面５ａは突起部５ｂの上端に一致する斜面が設けられる。
【００３０】
図１において、外筒３の上部には縮径部３ｃに内嵌する押圧部材８が設けられる。押圧部材８はストッパ（不図示）によって回転が規制され、軸方向に移動可能になっている。押圧部材８の下端には左右対称な斜面を有した山部を所定ピッチで配したカム面８ａが形成される。カム面８ａは清掃体保持部５の上端のカム面５ａに当接し、圧縮バネ７によって押圧部材８が清掃体保持部５とともに上方に付勢される。
【００３１】
カム面３ａ、５ａ、８ａ、溝部３ｂ及び突起部５ｂは互いに係合するカム機構を構成する。また、押圧部材８、圧縮バネ７及び外筒３は上記のカム機構によって清掃体保持部５を軸方向に進退させる進退手段を構成する。進退手段によって図１に示すように清掃体６が外装部２内に収納される収納状態と、図４に示すように開口部４ａから突出する清掃状態との間を移動する。
【００３２】
図５〜図８は進退手段のカム機構の動作を説明する外筒３、押圧部材８及び清掃体保持部５のカム機構の展開図を示している。図５に示す清掃状態では突起部５ｂがカム面３ａに係合し、カム面８ａは押圧部材８の自重によりカム面５ａに当接する。
【００３３】
押圧部材８を手指で押圧すると、図６に示すようにカム面８ａが突起部５ｂの上端に一致するカム面５ａの斜面に当接して清掃体保持部５を押し下げる。これにより、突起部５ｂがカム面３ａから離れる。更に押圧部材８を押圧すると、図７に示すようにカム面８ａの斜面がカム面５ａの斜面と摺動し、清掃体保持部５が回転する。
【００３４】
押圧部材８から手指を離すと、圧縮バネ７の付勢によって突起部５ｂの上端の斜面がカム面３ａと摺動して清掃体保持部５が更に回転する。そして、図８に示すように、溝部３ｂに突起部５ｂが嵌合する。これにより、清掃体保持部５が後退し、清掃体６を収納する収納状態に配される。
【００３５】
収納状態から押圧部材８を押圧すると、上記と同様にカム面８ａがカム面５ａ押し下げて溝部３ｂから突起部５ｂが離脱する。そして、カム面５ａ及び突起部５ｂの斜面がカム面８ａ及びカム面３ａと摺動して清掃体保持部５が回転し、突起部５ｂとカム面３ａとが係合して図５の清掃状態に配される。
【００３６】
図９、図１０はそれぞれ収納状態及び清掃状態の電極用清掃用具１の下部の詳細を示す側面断面図である。収納状態の電極用清掃用具１は開口部４ａをイオン発生装置２０の孔部２４ａの上方に配し、開口部４ａの周囲に形成された軸方向に垂直な平面の設置面４ｂがカバー２４上に設置される。
【００３７】
そして、押圧部材８が作業者の手指により押圧されると、図１０に示すように開口部４ａから清掃体６が突出する。これにより、清掃体６が放電電極２２に接触し、放電電極２２の先端に付着した異物が除去される。
【００３８】
この時、一般的なイオン発生装置２０の孔部２４ａの直径はφ８ｍｍ〜φ１５ｍｍ程度である。ガイド４は屈曲部４ｃが設けられるため、ガイド４の外形を孔部２４ａよりも大径（例えば、φ２０ｍｍ）に形成し、開口部４ａを孔部２４ａよりも小径（例えば、φ５ｍｍ）に形成することができる。これにより、設置面４ｂを確実にカバー２４上に設置できるとともに、突出時の清掃体６と孔部２４ａの周縁との接触を防止して清掃体６の損傷を低減することができる。
【００３９】
また、清掃体６が突出する際に清掃体保持部５がカム機構によって回転するので、清掃体６が放電電極２２と略同軸に回転して放電電極２２に摺動する。従って、放電電極２２の損傷を防止して清掃体６を放電電極２２に摺動させることができ、異物をより確実に除去することができる。
【００４０】
尚、設置面４ｂの一端をカバー２４に当接して外装部２を傾斜して配置し、孔部２４ａを介して誘導電極２３と清掃体６とを接触させてもよい。これにより、誘導電極２３の清掃を簡単に行うことができる。また、清掃体６を突出した清掃状態の電極用掃除用具１を傾斜し、清掃体６を孔部２４ａに挿入して誘導電極２３に接触させてもよい。
【００４１】
本実施形態によると、進退手段の操作によって清掃体６が外装部２の内部に収納される収納状態と開口部４ａから突出する清掃状態との間を移動し、収納状態で清掃体６が外装部２の内壁に嵌合する。針状の放電電極２２が露出するカバー２４上に外装部２の開口部４ａの周囲を設置し、進退手段により清掃体６を突出させることによって、放電電極２２と清掃体６とが接触して異物を簡単に除去することができる。この時、清掃体６が放電電極２２に垂直な方向に摺動することを防止し、放電電極２２の損傷を防止することができる。また、収納状態で清掃体６が開口部４ａに嵌合するため、清掃体６の先端が外装部２によって揃えられる。これにより、清掃体６の変形を低減して長寿命化を図ることができる。
【００４２】
また、進退手段は、外装部２の上端から突出して上方に付勢される押圧部材８を有し、押圧部材８の押圧によって清掃体保持部５が進退するので、カバー２４上に設置した外装部２を把持して手指によって容易に清掃体６を出し入れすることができる。
【００４３】
また、外装部２の下端が屈曲部４ｃによって内側に屈曲するので、外装部２の下端の外形を孔部２４ａよりも大径に形成し、開口部４ａを孔部２４ａよりも小径に形成することができる。これにより、設置面４ｂを確実にカバー２４上に設置できるとともに、突出時の清掃体６と孔部２４ａの周縁との接触による清掃体６の損傷を低減して清掃体６の長寿命化を図ることができる。
【００４４】
また、進退手段によって清掃体６が開口部４ａから突出する際に清掃体保持部５が回転するので、清掃体６が放電電極２２と略同軸に回転して放電電極２２に摺動する。従って、放電電極２２の損傷を防止して清掃体６を放電電極２２に摺動させることができ、異物をより確実に除去することができる。
【００４５】
尚、清掃体保持部５を上部の嵌合部５ｄと嵌合部５ｄよりも下方の下部とを分離し、外筒３の内周面に螺旋状のカム溝を凹設するとともに該カム溝に係合するカム突起を清掃体保持部５の下部に設けてもよい。この構成によると、清掃体保持部５は進退手段によって進退する際に清掃体保持部５の下部がカム溝の案内によって回転する。これにより、清掃体６が開口部４ａから突出する際に清掃体６を大きな回転角度で放電電極２２と略同軸に回転させることができる。
【００４６】
次に、図１１は第２実施形態の電極用清掃用具１の下部の詳細を示す側面断面図である。説明の便宜上、前述の図１〜図１０に示す第１実施形態と同一の部分は同一の符号を付している。本実施形態はガイド４の下端にリブ４ｄが突設される。その他の部分は第１実施形態と同一である。
【００４７】
リブ４ｄは開口部４ａの周縁から下方に突出して環状に形成され、リブ４ｄの周囲に設置面４ｂが形成される。これにより、リブ４ｄをイオン発生装置２０の孔部２４ａ内に挿入して設置面４ｂがカバー２４上に設置される。そして、押圧部材８（図１参照）の押圧によって清掃体６が開口部４ａから突出して放電電極２２に接触する。
【００４８】
本実施形態によると、第１実施形態と同様の効果を得ることができる。加えて、開口部４ａの周縁から下方に突出する環状のリブ４ｄを設けたので、突出時の清掃体６と孔部２４ａの周縁との接触をより確実に防止することができる。従って、清掃体６のより長寿命化を図ることができる。
【００４９】
次に、図１２は第３実施形態の電極用清掃用具１の下部の詳細を示す側面断面図である。説明の便宜上、前述の図１１に示す第２実施形態と同一の部分は同一の符号を付している。本実施形態は、外装部２の上部が気密に形成され、外装部２の設置面４ｂにはパッキン９が設けられる。また、収納状態で清掃体６の先端が開口部４ａの先端から所定量の空隙Ｇを介して上方に配される。その他の部分は第２実施形態と同一である。
【００５０】
外装部２の上部の外筒３と押圧部材８との間には摺動可能なシール材（不図示）が配され、気密に形成される。パッキン９は合成ゴムや合成樹脂等により環状に形成され、リブ４ｄの周囲に嵌着される。
【００５１】
ガイド４は開口部４ａの内周壁が軸方向に延びて形成される。これにより、収納状態で開口部４ａの先端から空隙Ｇを介して配される清掃体６が開口部４ａの内周壁に嵌合し、清掃体６の先端が外装部２（ガイド４）によって揃えられる。
【００５２】
電極用清掃用具１を設置して押圧部材８（図１参照）が押圧されると、清掃体６が開口部４ａから突出する。この時、外装体２の上部が気密に形成されるため、空隙Ｇの空気が清掃体６とともに開口部４ａから吐出される。これにより、開口部４ａから吐出された空気によって放電電極２２の先端の異物が吹き飛ばされるとともに、開口部４ａから突出する清掃体６が放電電極２２に接触する。
【００５３】
本実施形態によると、第２実施形態と同様の効果を得ることができる。加えて、外装部２の上部を気密に形成して収納状態で清掃体６の先端が開口部４ａの先端から所定量の空隙Ｇを介して上方に配されるので、清掃体６が開口部４ａから突出する際に空隙Ｇの空気が開口部４ａから吐出される。従って、放電電極２２の異物をより確実に除去することができる。
【００５４】
尚、パッキン９を省いてもよいが、パッキン９を設けることによって設置面４ｂとカバー２４との間からの空気漏れを防止し、放電電極２２の異物をより確実に吹き飛ばすことができる。
【００５５】
尚、リブ４ｄを省いた第１実施形態の電極用清掃用具１の設置面４ｂに本実施形態と同様のパッキン９を固着してもよい。
【産業上の利用可能性】
【００５６】
本発明によると、針状の放電電極を清掃する電極用清掃用具に利用することができる。
【符号の説明】
【００５７】
１    電極用清掃用具
２    外装部
３    外筒
３ａ、５ａ、８ａ  カム面
３ｂ  溝部
４    ガイド
４ａ  開口部
４ｂ  設置面
４ｃ  屈曲部
４ｄ  リブ
５    清掃体保持部
５ｂ  突起部
６    清掃体
７    圧縮バネ
８    押圧部材
９    パッキン
２０    イオン発生装置
２１    イオン発生素子
２２    放電電極
２３    誘導電極
２４    カバー
２４ａ  孔部
【図１】
2012000558.tif 000003
【図２】
2012000558.tif 000004
【図３】
2012000558.tif 000005
【図４】
2012000558.tif 000006
【図５】
2012000558.tif 000007
【図６】
2012000558.tif 000008
【図７】
2012000558.tif 000009
【図８】
2012000558.tif 000010
【図９】
2012000558.tif 000011
【図１０】
2012000558.tif 000012
【図１１】
2012000558.tif 000013
【図１２】
2012000558.tif 000014